(57)【要約】      （修正有）【課題】一対のストレッチの出来る履物で複数のストレッチ機能を持つ健康ストレッチ履物を提供する。【解決手段】一対でなる履物の底部を強靭な台座１にし、この表面１ａに具備する足押さえ部材２の裏面１ｂの中央から、つま先１ｃ側に、横向きにしか進行しないローラー式の回転体３を一体化し、これら台座１に足を乗せホールドし、つま先１ｃ上がりの傾斜にした台座１で、脚のふくらはぎ筋肉のストレッチに、或いは、横向き進行の回転体３で両足を開き股関節のストレッチに、或いは、つま先立ち姿勢等のストレッチで、それぞれの各部筋肉強化を、可能にした健康ストレッチ履物にする。また、ローラ式でなる回転体３の外周を多角面回転体にし、横向き進行の両足開きにブレーキ運進を可能にし、股開き角度の停止を容易にした。【選択図】図１
0003146806.tif 000002
【実用新案登録請求の範囲】
【請求項１】
一対でなる履物の底部を強靭な台座１にし、この表面１ａに具備する足押さえ部材２の裏面１ｂの中央から、つま先１ｃ側に、横向きにしか進行しないローラー式の回転体３を一体化し、これら台座１に足を乗せホールドし、つま先１ｃ上がりの傾斜にした台座１で、脚のふくらはぎ筋肉のストレッチに、或いは、横向き進行の回転体３で両足を開き股関節のストレッチに、或いは、つま先立ち姿勢等のストレッチで、それぞれの各部筋肉強化を、可能にしたことを特徴とする健康ストレッチ履物。
【請求項２】
前記するローラ式でなる回転体３の外周を凹凸或いは多角面回転体４にし、その転がり抵抗を大きくし、両足開きでの股関節筋肉にブレーキ付加をかけ、股開き角度のコントロールを自在にしたことを特徴とする請求項１記載の健康ストレッチ履物。
【考案の詳細な説明】
【技術分野】
【０００１】  この考案は、ストレッチの出来る履物に関する。詳しくは、一対の履物で、複数のストレッチ機能を具備する健康ストレッチ履物に関する。
【背景技術】
【０００２】  此の種の従来の技術として知られるストレッチ履物に関して、特開２００５−２４６０２４で開示される「つま先立ち強制サンダル」或いは特開２００５−２７９２３５で開示される「かかと下げ足半入り内側重心サンダル」が知られる。前記の発明は、体のバランス感覚や、筋肉の運動量を増加させるのに、履物の地面に接する部分に楕円形の突起状を設け、これらはつま先部に突起状を設定することで、履いて歩行するだけでバランス神経を使い脳や身体能力の活性化をはかることの出来る様に、わざと履き難くくしたサンダルにしたものである。【０００３】  次ぎに、後者の発明は、足のストレッチでふくらはぎの筋肉強化をするのに使う、足半長さのサンダルに、これらの底当て台を傾斜にした、かかと下げサンダルを組合せた構成で、１つのサンダルで足腰のストレッチ、脚の体型補正や足腰の筋肉強化を図るサンダル構成である。
【考案の開示】
【考案が解決しようとする課題】
【０００４】  しかしながら上述する従来技術の場合は、何れの発明もふくらはぎの筋肉、腰、背中、にかけてのストレッチ或いは、つま先立ちでの足先ストレッチと全身筋肉のバランス強化を主体としたストレッチ履物で、即ち、足のストレッチを高める機能だけで、運動量を大幅に増加させることの出来る履物でないという課題がある。【０００５】  そして、古くから要望されたストレッチで、股関節ストレッチを複合した履物があればと考えられていた。これらの股関節のストレッチは、大げさなメカ健康器具で、床面に据え付けた、高額で且つ広いスペースを必要とする、トレーニングマシンが一般的で、身近に利用出来ないなどの課題がある。【０００６】  股関節ストレッチは、肉もも筋肉を柔くすることで、通常９０度程度の開脚を１３０度程度までに筋肉強化が楽に改善できるからで、これらのストレッチ効果は、股関節の周辺には、太い血管やリンパ節が集中し股関節が硬いと血液やリンパリンパ液のながれを阻害し、下半身の冷えやむくみの要因となるなどが知られる事から、股関節ストレッチによっこれらの障害を解消し、太ももの筋肉を容易にほごせる、健康補助履物を強く要望する由縁である。
【課題を解決するための手段】
【０００７】  この考案は、かかる課題を解決する為に、請求項１での考案は、図１で述べる様に一対でなる履物の底部を強靭な台座１にし、この表面１ａに具備する足押さえ部材２の裏面１ｂの中央から、つま先１ｃ側に、横向きにしか進行しないローラー式の回転体３を一体化し、これらの台座１に足を乗せホールドし、つま先１ｃ上がりの傾斜にした台座１で、脚のふくらはぎの筋肉のストレッチに、或いは、横向き進行のローラー式の回転体３で両足を股開きで股関節のストレッチに、或いは、つま先立ち姿勢等のストレッチで、それぞれの各部筋肉強化を、可能な構成にする。【０００８】  次ぎに、請求項２での考案は、図５、図６、で述べる様に前記する回転体３の外周の接地面を多角面回転体４にし、横向き走行股開きでの股関節ストレッチにブレーキ運進を股関節筋肉の力加減で、股開き角度の停止を自在に容易にした構成にする。
【考案の効果】
【０００９】  本考案は、上述の通り構成作用するので次ぎの優れた効果を奏する。即ち、請求項１での効果は、一対の履物に横向き走行のローラー式の回転体を底部に一体化することで、今まで出来なかった股関節ストレッチをやるのに、回転体が先行して転がり、開脚力を牽引供与することで、太もも筋肉強化に役立つ、健康ストレッチ履物を提供出来る。そしてまた、股関節ストレッチだけでなく、台座に乗せた足を、つま先上がりに傾斜させ、脚のふくらはぎ筋肉強化の健康ストレッチ履物を提供出来る。そしてまた、つま先立ちで全身筋肉のバランス強化の出来る多機能からなる、健康ストレッチ履物を提供出来る。【００１０】  次ぎに請求項２での効果は、横向き回転体の外周の接地面を凹凸面或いは、多角面回転体にする事で、スルスルと動いて牽引する回転体のオーバーラン開脚力をコントロールし開脚角度を容易に規制出来る、健康ストレッチ履物を提供出来る。
【考案を実施するための最良の形態】
【００１１】  以下に図示の実施例に基づいて、本考案を更に詳細に説明する。即ち、図１は本考案での全体斜視図での第一実施例を示し、図２，図３，図４、は同じく第一実施例でのそれぞれのストレッチの使用例を示す斜視図である。一対でなる履物例えばスリッパ−の底部を強靭な台座１にし、本実施例では一枚の厚い木材を使い足の平が乗っかる細長の形状にし、この表面１ａには足押さえ部材２を設け、本実施例ではスリッパ−のつま当てを設けるが、例えば下駄の鼻緒や、サンダルの足にフィットする甲のベルト調節の出来る足押さえ部材２でもよく、足裏を表面１ａに滑る事無く安定的に着脱自在に装着出来る構成が望まれる。【００１２】  そして、これらの足押さえ部材２を装着する台座１の裏面１ｂに、一体化するゴム材等でなるローラ式の２個の回転体３を台座１の中央よりつま先１ｃ側に並列で一体化するが、横向きにしか進行する事のない、回転体３構成とし、つま先１ｃ側方向の可逆進行が出来ないことが構成要素で、使用例を図３で示す様に、即ち台座１の表面１ａに載置する両足を両サイドに開くことで、股関節のストレッチで太ももの筋肉を柔かく且つ、強力な脚体にするが、弱い股開きの力でローラー式の回転体３はスルスルと回転し、両脚に回転体３の牽引力が働き股関節を強制的に無理に開き、再度両脚の股間節の筋肉を使って閉じることで股間節のストレッチに最適な、健康ストレッチ履物として具現化したものである。【００１３】  また、図２で示す様に、これらの台座１の裏面１ｂに一体化でなる回転体３は、つま先１ｃ側に立脚している為、台座１はつま先１ｃ上がりでかかと下がりの傾斜面に両足が載せられことで、脚のふくらはぎ筋肉のストレッチ用具に機能することになる。更には、図４で示す様に、傾斜する台座１に乗せられた両足をつま先立ちで、足のつま先に力を掛けかかとを持ち上げ、台座１を水平にバランスを取り、つま先立ちで全身筋肉のバランス強化のストレッチ用具に機能する構成で、これらの３つのストレッチ機能を基本に、数々の筋肉を鍛えることが出来る。【００１４】  次ぎに、本考案での第二実施例を図５の全体斜視図と図６の要部の部分斜視図で示すが、前記するクルクル回転するローラー式の回転体３の接地面となる、外周を多角面回転体４にし、接地面に股開き操作で摩擦ブレーキを掛け進行を鈍らせ、股筋肉の力加減で多角面回転体４の運行をコントロールし、無制限にクルクルと弱い股筋肉で回転オーバーの回転体３に適時ブレーキ運進の出来る段階的に股開きを可能な構成にしている。【００１５】  このように、台座１に略Ｔの字形状でなるローラー式回転体３或いは、多角面回転体４の台座１の裏面１ｂの一体化は、必ずしもつま先１ｃ側の配置に特定するもので無く、最適な配置形態を第一実施例で述べるに過ぎなく、裏面１ｂの何れの位置でも選択が出来、そしてまた、回転体３、多角面回転体４のスペック、例えば、材質や形状や耐荷重や使用数や回転構造などは、特定する事無く多彩の中から選択出来る要素をこの考案は包含するものであるし、ストレッチ方策や効能などの上述は代表的な実施例での開示とするが、其の限りでない。
【図面の簡単な説明】
【００１６】
【図１】  本考案に係わる第一実施例で全体を示しての斜視図である。
【図２】  本考案に係わる第一実施例の使用例を示す斜視図である。
【図３】  本考案に係わる第一実施例の他の使用例を示す斜視図である。
【図４】  本考案に係わる第一実施例の他の使用例を示す斜視図である。
【図５】  本考案に係わる第二実施例で全体を示しての斜視図である。
【図６】  本考案に係わる第二実施例での他の要部を示す部分斜視図である。
【符合の説明】
【００１７】１    台座
１ａ  表面
１ｂ  裏面
１ｃ  つま先
２    足押さえ部材
３    回転体
４    多角面回転体
【図１】
0003146806.tif 000003
【図２】
0003146806.tif 000004
【図３】
0003146806.tif 000005
【図４】
0003146806.tif 000006
【図５】
0003146806.tif 000007
【図６】
0003146806.tif 000008